(57)【要約】      （修正有）【課題】より多くの外光を取り込むことができ、かつ、モダンでお洒落なインテリアとしても鑑賞することができる仏壇を提供する。【解決手段】台座部１００と、台座部の上方に位置する本体部２００と、本体部の上方に位置する天井部３００とを有し、本体部は、正面扉２０１および側面板２０２を備え、正面扉および側面板は、透明部材で形成されている。台座部または天井部は、発光部と、発光部の設置位置に対向する位置に本体部の正面扉および側面板が嵌め込まれる貫通溝とを有し、また透明部材の一部には、所定模様を表すサンドブラスト加工が施されているのが好ましい。【選択図】図１
0003199221.tif 000002
【実用新案登録請求の範囲】
【請求項１】
台座部と、該台座部の上方に位置する本体部と、該本体部の上方に位置する天井部とを有し、
前記本体部は、正面扉および側面板を備え、
前記正面扉および前記側面板は、透明部材で形成されている
ことを特徴とする仏壇。
【請求項２】
請求項１に記載の仏壇であって、
前記台座部または前記天井部は、
発光部と、
前記発光部の設置位置に対向する位置に前記本体部の正面扉および側面板が嵌め込まれる貫通溝とを有する
ことを特徴とする仏壇。
【請求項３】
請求項１または２に記載の仏壇であって、
前記透明部材の一部には、所定模様を表すサンドブラスト加工が施されている
ことを特徴とする仏壇。
【請求項４】
請求項１〜３のいずれか一項に記載の仏壇であって、
前記本体部は、
前記正面扉に対向する位置に設置される背面板と、
前記正面扉と略平行な向きで、前記正面扉および前記背面板の間に設置されている透明部材で形成された仕切り板とをさらに備え、
前記仕切り板および前記背面板の間には、装飾部材を収容する収容空間が形成されている
ことを特徴とする仏壇。
【請求項５】
台座部と、該台座部の上方に位置する本体部と、該本体部の上方に位置する天井部とを有し、
前記本体部は、
正面扉と、側面板と、該正面扉に対向する位置に設置される背面板と、該正面扉と略平行な向きで、該正面扉および該背面板の間に設置される透明部材で形成された仕切り板と、を備え、
前記仕切り板および前記背面板の間には、装飾部材を収容する収容空間が形成されている
ことを特徴とする仏壇。
【請求項６】
請求項４または５に記載の仏壇であって、
前記背面板は、
所定方向に開閉可能、または、所定方向にスライド可能に取り付けられる
ことを特徴とする仏壇。
【請求項７】
請求項４〜６のいずれか一項に記載の仏壇であって、
前記装飾部材は、プリザーブドフラワーである
ことを特徴とする仏壇。
【考案の詳細な説明】
【技術分野】
【０００１】
本考案は、仏壇に関する。
【背景技術】
【０００２】
特許文献１には、外光を取り込むことにより、内部を明るくできる仏壇の構成が記載されている。
【先行技術文献】
【特許文献】
【０００３】
【特許文献１】特開２００３−３１９８７１号公報
【考案の概要】
【考案が解決しようとする課題】
【０００４】
特許文献１の仏壇は、横壁に設けられた開口に透光部材を取り付けることにより採光し易い構造になっている。しかしながら、採光箇所は仏壇側面の一部に限られるため、仏壇の内部全体を明るくする程度に採光することは難しい。
【０００５】
また、近年、人々のライフスタイルが移り変わるに従って、従来からある仏壇とは異なったモダンなデザインの仏壇が好まれるようになっている。そのため、仏壇内部に外光をより多く取り込むことができ、かつ、お洒落なインテリアとしても鑑賞できる仏壇が望まれる。
【０００６】
そこで、本考案は、より多くの外光を取り込むことができる構造を有し、かつ、モダンでお洒落な印象を与える仏壇の提供を目的とする。
【課題を解決するための手段】
【０００７】
上記課題を解決するために、本考案に係る仏壇は、台座部と、該台座部の上方に位置する本体部と、該本体部の上方に位置する天井部とを有し、前記本体部は、正面扉および側面板を備え、前記正面扉および前記側面板は、透明部材で形成されている。
【考案の効果】
【０００８】
本考案に係る仏壇は、より多くの外光を取り込むことができる構造を有し、かつ、モダンでお洒落なインテリアとしても鑑賞することができる。
【図面の簡単な説明】
【０００９】
【図１】本考案の一実施形態に係る仏壇の全体構成を示した図である。
【図２】図１に示す仏壇の正面扉を開けた状態を示した図である。
【図３】図１に示す仏壇の斜視図である。
【図４】本考案の一実施形態に係る仏壇の各部を分解した分解図である。
【図５】本考案の一実施形態に係る仏壇の台座部の分解図である。
【図６】本考案の一実施形態に係る仏壇の台座部に設置されたＬＥＤ基板と側面板との位置関係を示した正面図である。
【図７】本考案の一実施形態に係る仏壇の台座部に設置されたＬＥＤ基板と仕切り板との位置関係を示した正面図である。
【図８】本考案の一実施形態に係る仏壇の天井部の分解図である。
【考案を実施するための形態】
【００１０】
以下、本考案の実施形態について図面を用いて説明する。
【００１１】
図１は、本実施形態に係る仏壇１０００の全体構成を示した図である。図示するように、仏壇は、台座部１００と、本体部２００と、天井部３００とを有し、本体部の正面扉２０１および両側面を構成する側面板２０２が透明部材（例えば、アクリル板やガラス板など）で形成されている。そのため、仏壇１０００は、より多くの外光を仏壇内部に取り込むことができる。なお、図２は、図１に示す仏壇１０００の正面扉２０１を開けた状態を示した図である。図３は、図１に示す仏壇１０００の斜視図である。
【００１２】
以下、台座部１００、本体部２００および天井部３００の各々について、図４〜図７を用いて詳細に説明する。なお、図４は、仏壇１０００の各部を分解した分解図である。図５は、台座部１００の分解図である。図６は、台座部１００に設置されたＬＥＤ（Ｌｉｇｈｔ  Ｅｍｉｔｔｉｎｇ  Ｄｉｏｄｅ）基板と側面板２０２との位置関係を示した正面図である。図７は、台座部１００に設置されたＬＥＤ基板と仕切り板２０３との位置関係を示した側面図である。図８は、天井部３００の分解図である。
【００１３】
台座部１００は、仏壇１０００の最下部に位置し、仏壇１０００の土台となる部分である。台座部１００は、台座蓋１０１と、台座本体１０２とを有している。例えば、図４および５に示すように、台座蓋１０１は、仏壇１０００が設置される場所の接地面に接触する脚１０３と、接地面に対向する蓋板１０４と、台座本体１０２との間に所定の間隔を設けるためのスペーサー１０５とを有しており、台座本体１０２の下側にねじ止め固定される。
【００１４】
台座蓋１０１の蓋板１０４は、所定の大きさ（例えば、縦および横の長さが各々、３５０ｍｍ〜４５０ｍｍであって、厚みが２０ｍｍ程度）の直方体である。また、蓋板１０４は、木材から形成されており、接地面に対向する一方の面（蓋板１０４の裏面側）に鏡面装飾が施されている。
【００１５】
スペーサー１０５は、所定の大きさ（例えば、縦および横の長さが各々、３００ｍｍ、１０ｍｍ程度、厚みが２０ｍｍ程度）の細長い直方体である。また、スペーサ１０５は、蓋板１０４の鏡面装飾が施された面とは反対側の面、すなわち台座本体１０２に対向する面の所定位置に所定数設置される。本例のスペーサー１０５は、仏壇１０００の両側の辺に略平行となる向きで、かかる辺に近接する位置と、正面側の辺に略平行となる向きで、かかる辺から所定距離離れた位置とに設置されている。なお、スペーサー１０５の形状、配置、数および材料は特に限定されるものではなく、台座蓋１０１が台座本体１０２に固定された際、台座本体１０２との間に所定の間隔を維持できれば良い。
【００１６】
台座本体１０２は、本体部２００が設置される部分である。台座本体１０２は、２層構造になっており、本体部２００が設置される天面１０６と、天面に対向する底面１０７とを有している。また、台座本体１０２は、木材から形成されており、本体部２００が設置される天面１０６の表面側および側面に鏡面装飾が施されている。
【００１７】
天面１０６は、所定の大きさ（例えば、縦および横の長さが４００ｍｍ〜４５０ｍｍであって、厚みが５〜３５ｍｍ程度）の直方体である。また、天面１０６の所定位置（例えば、仏壇１０００の両側の辺に略平行となる向きで、かかる辺に近接する位置および正面側の辺に略平行となる向きで、かかる辺から所定距離離れた位置）には、本体部２００の側面板２０２や仕切り板２０３を嵌め込むための貫通溝１０８を有している。また、天面１０６は、天井部３００を支える支柱１０９を嵌め込む溝１１０を四隅に近接する位置に有している。また、天面表面の仏壇背面側には、本体部２００の背面板２０６および後側面板２０７が外れないように脱落防止する段差１１１が設けられている。また、天面表面の前面側には、台座本体１０２に正面扉２０１を取り付けた際に正面扉２０１の開閉動作をガイドするための治具１１２が設けられている。また、天面１０６の所定位置には、後述のＬＥＤ基板と天井部３００のスイッチとを繋ぐ配線を通す貫通孔１１３が形成されている。
【００１８】
底面１０７は、所定の大きさ（例えば、縦および横の長さが４００ｍｍ〜４５０ｍｍであって、厚みが５〜３５ｍｍ程度）の直方体である。また、底面１０７は、所定位置（例えば、天面１０６の貫通溝１０８に対向する位置）に、１色または複数色に発光する発光部を有している。なお、本例の発光部は、例えば、ＬＥＤ素子を備えたＬＥＤ基板により形成されていることを想定するが、このような例に限定されるものではない。また、かかるＬＥＤ基板は、貫通溝１０８に嵌め込まれた側面板２０２および仕切り板２０３の端辺全体を照らせる程度の大きさ（例えば、貫通溝１０８と同程度の大きさ）に形成されている。なお、ＬＥＤ素子は、後述するスイッチ操作に基づいて、所定の色に点灯または点滅などする。
【００１９】
また、底面１０７の所定位置（例えば、ＬＥＤ基板が設置されている箇所以外のスペース）には、天面１０６との間隔を維持するためのスペーサー１１４が設置されている。スペーサー１１４は、台座本体１０２の底面１０７と天面１０６との間に所定の間隔を設けるためのものであり、その形状、配置、数および材料は特に限定されるものではない。
【００２０】
以上、台座部１００について説明した。
【００２１】
次に、本体部２００について説明する。本体部２００は、台座部１００および天井部３００の間に位置する部分であって、正面扉２０１と、側面板２０２と、仕切り板２０３と、棚台２０４と、棚板２０５と、背面板２０６と、後側面板２０７とを有している。
【００２２】
正面扉２０１は、所定の大きさ（例えば、縦および横の長さが各々、４５０ｍｍおよび２００ｍｍ〜２２０ｍｍ、厚みが３〜５ｍｍ程度）に形成された各々の扉が左右一対となっており、透明なアクリル板やガラス板などの部材によって形成されている。また、正面扉２０１の所定箇所（例えば、正面扉２０１の上側部分および下側部分）には、裏面側（仏壇内部側）から所定模様（例えば、花柄など）を表すサンドブラスト加工２０８が施されている。また、正面扉２０１の所定位置（本例では、各々の扉が隣接する辺の中央付近）には、所定形状（例えば、バラなどの花の形状）の取っ手２０９が取り付けられている。なお、取っ手２０９は、例えば、有色のガラスなどから形成されれば良いが、材質や形状および大きさについては特に限定されない。
【００２３】
また、正面扉２０１は、観音開きとなるように台座部１００および天井部３００に挟み込んで固定するための治具２１０が四隅に設けられている。かかる治具２１０は、前述の台座本体１０２に取り付けられている治具１１２の溝と、後述する天井部３００に取り付けられている治具の溝に嵌め込まれて固定され、観音開きが可能となるよう正面扉２０１をガイドする。なお、正面扉２０１の固定手段およびガイド手段は上記に限られるものではなく、観音開きが可能となるように固定されれば、どのような手段であっても良い。
【００２４】
側面板２０２は、透明なアクリル板やガラス板などの部材を用いて所定の大きさ（例えば、縦および横の長さが各々、４５０ｍｍおよび２８０ｍｍ〜３００ｍｍであって、厚みが３〜５ｍｍ程度）に形成されている。また、側面板２０２の所定位置（例えば、上側部分および下側部分）には、裏面側（仏壇内部側）から所定模様（例えば、花柄など）を表すサンドブラスト加工２０８が施されている。
【００２５】
仕切り板２０３は、正面扉２０１と略平行な向きで、正面扉２０１および背面板２０６の間に配置され、透明なアクリル板やガラス板などの部材を用いて所定の大きさ（例えば、縦および横の長さが各々、４５０ｍｍおよび３８０ｍｍ〜４１０ｍｍであって、厚みが３〜５ｍｍ程度）に形成されている。また、仕切り板２０３の所定位置（例えば、上側部分の左右２箇所）には、裏面側（仏壇内部側）から所定模様（例えば、花柄など）を表すサンドブラスト加工２０８が施されている。
【００２６】
このような側面板２０２および仕切り板２０３は、前述の台座本体１０２に設けられた貫通溝１０８と、天井部３００に設けられた溝に嵌め込まれて固定される。
【００２７】
以上の説明から明らかなように、透明な板材を正面扉２０１および側面板２０２に用いることにより、仏壇１０００は、より多くの外光を仏壇内部に取り込むことができる構成となっている。
【００２８】
また、図６に示すように、側面板２０２および仕切り板２０３は、直下にＬＥＤ基板が配置されている台座本体１０２の貫通溝１０８に嵌め込まれるため、ＬＥＤ素子からの光が側面板２０２および仕切り板２０３の端部に照射される。照射された光は、側面板２０２および仕切り板２０３の内部を通って表面に現れる。これにより、側面板２０２および仕切り板２０３は、予め設定されている点灯パターンに従って、その内側から発光して美しいイルミネーション効果を演出する。
【００２９】
さらに、側面板２０２および仕切り板２０３にはサンドブラスト加工２０８が施されているため、かかる加工を施した部分と加工していない部分とで、光の屈折率が異なる部分が存在することになる。そのため、側面板２０２および仕切り板２０３の表面に現れる光は、サンドブラスト加工による模様が形成された部分とそれ以外の部分が異なる色で発光する。
【００３０】
棚台２０４および棚板２０５は、正面扉２０１と仕切り板２０３との間の空間に設置される。棚台２０４は、鏡面装飾を施した木材を用いて異なる大きさの直方体部材を３段重ねて形成されている。最下部の棚台２０４は、上側に位置する棚台２０４よりも大きくなるように所定の大きさ（例えば、縦の長さが２００ｍｍ程度、横の長さが１００ｍｍ〜１５０ｍｍ、高さが１０ｍｍ〜２０ｍｍ程度）に形成される。また、真ん中の棚台２０４は、最下部の棚台２０４よりも一回り小さく形成される。また、最上部の棚台２０４は、真ん中の棚台２０４よりも一回り小さく形成される。なお、各棚台２０４の大きさおよび形状は、上記のものに限定されず、デザインに応じて適宜設定されれば良い。
【００３１】
棚板２０５は、アクリル板やガラス板などの透明部材を用いて薄い板状に形成されており、各棚台２０４の間に挟み込まれて固定されている。例えば、最下部の棚台２０４と真ん中の棚台２０４との間に挟み込まれる棚板２０５は、上側の棚板２０５よりも大きくなるように所定の大きさ（例えば、縦の長さが１０ｍｍ〜２５ｍｍ程度、横の長さが４１０ｍｍ程度、厚みが３ｍｍ程度）に形成されている。なお、上側２枚の棚板２０５は、最下部の棚板２０５の縦方向の長さが一回りずつ小さくなるように形成されている。なお、各棚板２０５の大きさおよび形状は、上記のものに限定されず、デザインに応じて適宜設定されれば良い。
【００３２】
背面板２０６は、仏壇１０００の背面に設置される部材であって、表面に鏡面装飾を施した木材を用いて形成される。具体的には、背面板２０６は、台座本体１０２の表面に対して略垂直方向に設置される背面主板２１１と、背面主板２１１の四辺を取り囲み、背面主板２１１から仏壇正面側に向かって突出するように取り付けられる背面底板２１２、背面天板２１３および背面側板２１４とから構成されている。
【００３３】
背面主板２１１は、仏壇１０００の最も背面側（後側）に位置し、所定の大きさ（例えば、縦の長さが４５０ｍｍ〜４６０ｍｍ、横の長さが４１０ｍｍ〜４２０ｍｍ、厚みが５ｍｍ程度）に形成されている。また、背面底板２１２および背面天板２１３は、各々、所定の大きさ（例えば、縦の長さが５０ｍｍ〜６０ｍｍ、横の長さが４１０ｍｍ〜４２０ｍｍ、厚みが１ｍｍ程度）に形成され、背面主板２１１の底辺および上辺にねじ止めされる。なお、背面底板２１２および背面天板２１３の所定位置には、支柱１０９を通すための貫通孔２１５と、台座部１００のＬＥＤ基板と天井部３００のスイッチとを繋ぐ配線を通すための貫通孔２１６とが形成されている。
【００３４】
また、背面側板２１４は、所定の大きさ（例えば、縦の長さが４５０ｍｍ〜４６０ｍｍ、横の長さが５０ｍｍ〜６０ｍｍ、厚みが１ｍｍ程度）に形成され、背面主板２１１の両側面にねじ止めされる。
【００３５】
このような背面板２０６が台座部１００に取り付けられると、背面主板２１１と仕切り板２０３との間に所定の大きさの空間２１７が形成されることになる。この空間２１７には、例えば、プリザーブドフラワー、写真、絵画、その他美術工芸品などユーザ所望の装飾部材２１８が収容される。本実施形態に係る仏壇１０００は、正面扉２０１、両側面２０２および仕切り板２０３が透明部材で形成されていることから、かかる空間２１７に収容されたプリザーブドフラワーなどの装飾部材２１８を仏壇１０００の外側から鑑賞することができる。
【００３６】
後側面板２０７は、表面に鏡面装飾を施した木材を用いて、仏壇正面側の一辺が緩やかな曲線となるよう所定の大きさ（例えば、縦の長さが４５０ｍｍ、上辺の横の長さが３０ｍｍ、下辺の横の長さが１００ｍｍ〜１１０ｍｍ、厚みが３ｍｍ〜１０ｍｍ程度）の板状に形成されている。また、後側面板２０７は、背面側板２１４にねじ止めされる。
【００３７】
以上、本体部２００について説明した。
【００３８】
次に、天井部３００について説明する。天井部３００は、表面に鏡面装飾を施した木材を用いて形成されており、仏壇１０００の天面を構成する部分である。具体的には、天井部３００は、外天板３０１と、内天板３０２と、前天板３０３とを有している。
【００３９】
外天板３０１は、天井部３００の最上部（最も上側）に位置し、所定の大きさ（例えば、縦の長さが３９０ｍｍ〜４００ｍｍ、横の長さが４４０ｍｍ〜４５０ｍｍ、厚みが３０ｍｍ）に形成されている。また、内天板３０２に対向する外天板３０１の一方の面（仏壇内部に位置する面）には、ＬＥＤ照明３０４およびＬＥＤ素子の発光パターンや電源の動作を制御するためのスイッチ３０５と、スイッチ３０５とＬＥＤ照明３０４およびＬＥＤ基板とを繋ぐ配線（電源ケーブル）３０６とを収容する収容溝３０７が形成されている。
【００４０】
また、外天板３０１の仏壇正面側には、天井部３００に正面扉２０１を取り付けた際に正面扉２０１の開閉動作をガイドするための治具３０８が設けられている。
【００４１】
内天板３０２は、本体部２００に対向する側の面を構成し、所定の大きさ（例えば、縦の長さが２９０ｍｍ〜３１０ｍｍ、横の長さが４００ｍｍ〜４１０ｍｍ、厚みが５ｍｍ〜１０ｍｍ）に形成されている。また、内天板３０２には、ＬＥＤ照明３０４に対向する位置に照光穴となる開口３０９が設けられている。内天板３０２は、外天板３０１にねじ止め固定される。
【００４２】
前天板３０３は、仏壇１０００の正面側に位置し、外天板３０１に設けられた治具３０８と干渉しないよう治具の形状に応じた切り欠３１０きが両端付近に設けられている。前天板３０３は、外天板３０１にねじ止め固定される。
【００４３】
外天板３０１と内天板３０２との間には、照明（本例では、ＬＥＤ照明３０４）およびスイッチ３０５が取り付けられる。ＬＥＤ照明３０４およびスイッチ３０５は、外天板３０１の収容溝３０７に嵌め込まれて収容される。
【００４４】
以上、天井部３００について説明した。
【００４５】
このような仏壇１０００によれば、ユーザによってスイッチ３０５が操作されると、ＬＥＤ照明３０４および台座部１００に埋め込まれたＬＥＤ素子は、スイッチ制御により、所定のパターンで点灯または点滅する。ＬＥＤ照明３０４が点灯すると、内天板３０２に形成された開口３０９を通じて、仏壇内部が明るく照らされることになる。また、台座部１００のＬＥＤ素子が点灯すると、側面板２０２および仕切り板２０３はその内側から発光し、イルミネーションのような美しさを演出することができる。
【００４６】
さらに、正面扉２０１、側面板２０２および仕切り板２０３が透明部材によって形成されているため、仏壇内部に収容されたプリザーブドフラワーなどの装飾部材２１８が仏壇１０００の外側からでも鑑賞することができ、かつ、ＬＥＤ照明３０４およびＬＥＤ素子による光の演出と共に、美術品のような美しさが演出されることになる。
【００４７】
このように、本実施形態に係る仏壇１０００によれば、より多くの外光を取り込むことができ、かつ、モダンでお洒落なインテリアとしても鑑賞できる美しさを演出することができる。
【００４８】
なお、本考案は、前述の実施形態に限られるものではない。例えば、背面主板２１１を可動式にすることで、仏壇１０００の外空間と装飾部材２１８の収容空間との間仕切りを無くし、プリザーブドフラワーなどの装飾部材２１８を適宜出し入れできるようにしても良い。具体的には、可動式の背面主板２１１は、蝶番など所定の取り付け治具を用いて所定方向（例えば、手前方向）に開閉可能に取り付けられれば良い。また、背面主板２１１は、必ずしも開閉式の扉である必要はなく、例えば、上下左右のいずれかの方向にスライド可能に台座部１００および天井部３００に挟み込まれて固定されていても良い。この場合、台座部１００および天井部３００の少なくとも一方には、背面主板２１１をスライド可能に固定するための溝が形成されていれば良い。また、背面主板２１１を可動させる機構は、上記の場合に限定されるものではなく、周知の機構が用いられれば良い。このような構成を有する仏壇１０００によれば、季節や気分などユーザの好みに応じて、装飾部材２１８を簡単に取り替えることができる。
【００４９】
また、台座部１００に設けられている発光部および貫通溝１０８は、天井部３００に設けられていても良く、台座部１００および天井部３００の両方に設けられていても良い。具体的には、台座部１００と同様、内天面３０２の所定位置（例えば、仏壇１０００の両側の辺に略平行となる向きで、かかる辺に近接する位置および正面側の辺に略平行となる向きで、かかる辺から所定距離離れた位置）には、本体部２００の側面板２０２や仕切り板２０３を嵌め込むための貫通溝が形成される。また、外天板３０１は、所定位置（例えば、内天板３０１の所定位置に設けられた貫通溝に対向する位置）に、１色または複数色に発光する発光部を有する。このような構成により、正面扉２０１および側面板２０２は、上下方向からＬＥＤ素子などの発光部によりライティングされ、より美しく演出される。
【００５０】
また、前述の実施形態では、正面扉２０１および側面板２０２は、アクリル板などの透過度が高い部材を用いたが、本考案は、これに限定されるものではなく、正面扉２０１および側面板２０２の少なくともいずれか一方に透過度の低い木材などの部材が用いられても良い。
【符号の説明】
【００５１】
１０００・・・仏壇、１００・・・台座部、２００・・・本体部、
３００・・・天井部、１０１・・・台座蓋、１０２・・・台座本体、
２０１・・・正面扉、２０２・・・側面板、２０３・・・仕切り板、
２０４・・・棚台、２０５・・・棚板、２０６・・・背面板、
２０７・・・後側面板、２０８・・・サンドブラスト加工、
２１８・・・装飾部材、３０１・・・外天板、３０２・・・内天板、
３０３・・・前天板、３０４・・・ＬＥＤ照明、３０５・・・スイッチ、
３０９・・・開口
【図１】
0003199221.tif 000003
【図２】
0003199221.tif 000004
【図３】
0003199221.tif 000005
【図４】
0003199221.tif 000006
【図５】
0003199221.tif 000007
【図６】
0003199221.tif 000008
【図７】
0003199221.tif 000009
【図８】
0003199221.tif 000010